(57)【特許請求の範囲】
【請求項１】
押圧動作によりスイッチのオン、オフを切り換える電子鍵盤楽器用ペダルスイッチにおいて、
手前側から順に配設される第１のスイッチ、第２のスイッチ及び第３のスイッチと、
前記第１のスイッチ及び第２のスイッチを覆うように配設され、押圧した際に押圧量に応じて第２のスイッチ、第１のスイッチの順でスイッチをオンとする第１のペダルと、
該第１のペダルによる押圧を解除した際に、元の位置に付勢させる第１のスプリングと、
前記第３のスイッチの上側に配置され、押圧した際に当該第３のスイッチをオンとする第２のペダルと、
該第２のペダルによる押圧を解除した際に、元の位置に付勢させる第２のスプリングとを有し、
かつ前記第１のペダルの一部上部に第２のペダルが存在するようにしたこと、
を特徴とするペダルスイッチ。
【請求項２】
前記請求項１に記載のペダルスイッチを複数個並べて配設し、各ペダルスイッチの第１〜第３のスイッチのオン・オフの組み合わせで得られる各パターンに、所定のイベントデータを割り当てたことを特徴とする電子鍵盤楽器。
【請求項３】
前記請求項１に記載のペダルスイッチを複数個並べて配設し、当該各ペダルスイッチに、「ド」、「レ」、「ミ」等の根音を割り当て、各ペダルスイッチの第１〜第３のスイッチのオン・オフの組み合わせにより、メジャ、マイナー、セブンス等のコードを割り当てて構成されることを特徴とする電子鍵盤楽器。
【請求項４】
前記第１のペダルスイッチを押圧し、前記第２のスイッチがオンとなった後、所定時間経過後に当該第２のスイッチのオンを検出することを特徴とする請求項２または３のいづれかに記載の電子鍵盤楽器。
【発明の詳細な説明】
【０００１】
【発明の属する技術分野】
本発明は、電子ピアノやエレクトーン等の電子鍵盤楽器に係り、特に、メジャ、マイナー、セブンス等のコードを容易に演奏することを可能とする技術に関する。
【０００２】
【従来の技術】
一般に、電子ピアノやエレクトーン等の電子鍵盤楽器においては、コード（和音）を演奏する際には、左右の手の指を使って例えば、「ド・ミ・ソ」、「ド・ファ・ラ」等のコードに対応する鍵盤を押圧すれば、これらのコードを奏でることができる。また、昨今の電子鍵盤楽器では、足により操作するフット鍵盤を使用して演奏を行うものが多用されている。このようなフット鍵盤では、指によりコードを操作することはできないので、通常は、予め鍵盤にコードの根音、モード（例えば、ドのメジャ等）を設定しておいてこのコードを演奏する方法が用いられている。
【０００３】
しかしながら、このような方法では、多種多用のコードを演奏することができないので、従来より、フット鍵盤を右足用と左足用とに区分し、左足で「ド」、「レ」、「ミ」等のコードの根音を指定し、右足でメジャ、マイナー、セブンス等のモードを指定することにより、所望のコード、例えば「ド」のマイナー等を演奏する方法が採用されている。
ところが、このような従来の方法においては、所望のコードを演奏するのに左右の両足を使用しなければならないので操作が面倒であり、また、例えば一人で電子ピアノとギターを同時に演奏するような場合には、電子ピアノのコードを演奏するために両足を使用すると、演奏の幅が狭くなるという欠点がある。
【０００４】
【発明が解決しようとする課題】
このように、従来における電子鍵盤楽器においては、フット鍵盤にてコードを演奏する際には、一方の足にて根音を指定し、他方の足にてモードを設定するので、操作が面倒であるばかりでなく、演奏の幅が狭くなるという欠点があった。
この発明はこのような従来の課題を解決するためになされたものであり、その目的とするところは、片足、または片手で容易に複数種類のパターンを設定することのできるペダルスイッチ及びこのスイッチを用いて複数種類のコードを演奏することのできる電子鍵盤楽器を提供することにある。
【０００５】
【課題を解決するための手段】
上記目的を達成するため本発明の請求項１に記載したペダルスイッチは、押圧動作によりスイッチのオン、オフを切り換える電子鍵盤楽器用ペダルスイッチにおいて、手前側から順に配設される第１のスイッチ、第２のスイッチ及び第３のスイッチと、前記第１のスイッチ及び第２のスイッチを覆うように配設され、押圧した際に押圧量に応じて第２のスイッチ、第１のスイッチの順でスイッチをオンとする第１のペダルと、該第１のペダルによる押圧を解除した際に、元の位置に付勢させる第１のスプリングと、前記第３のスイッチの上側に配置され、押圧した際に当該第３のスイッチをオンとする第２のペダルと、該第２のペダルによる押圧を解除した際に、元の位置に付勢させる第２のスプリングとを有し、かつ前記第１のペダルの一部上部に第２のペダルが存在するようにしたこと、が特徴である。
また、請求項２に記載した電子鍵盤楽器は、前記請求項１に記載のペダルスイッチを複数個並べて配設し、各ペダルスイッチの第１〜第３のスイッチのオン・オフの組み合わせで得られる各パターンに、所定のイベントデータを割り当てたことを特徴とする。
【０００６】
請求項３に記載した電子鍵盤楽器は、前記請求項１に記載のペダルスイッチを複数個並べて配設し、当該各ペダルスイッチに、「ド」、「レ」、「ミ」等の根音を割り当て、各ペダルスイッチの第１〜第３のスイッチのオン・オフの組み合わせにより、メジャ、マイナー、セブンス等のコードを割り当てて構成されることを特徴とする。
上述の如く構成された本発明のペダルスイッチにおいては、第１のペダルと第２のペダルの押圧を操作することにより、４通りのスイッチパターンを得ることができるので、片足または片手にて４通りの操作パターンを得ることができる。また、このようなペダルスイッチを電子鍵盤楽器の鍵盤として用いれば、１つの鍵盤で４通りのイベント（コード、音の強弱等）を得ることができ、例えば、コード演奏を行う場合には複数のペダルスイッチにて鍵盤を構成し、各鍵盤にてコードの根音を指定し、各鍵盤のスイッチングパターンによりモード（メジャやマイナー等）を指定するようにすることができる。このようにすることにより、操作者は片足、または片手で容易に多種多用なコードを演奏することができるようになる。
【０００７】
【発明の実施の形態】
以下、本発明の実施形態を図面に基づいて説明する。図１は本発明に係るペダルスイッチの一実施形態の構成を示す斜視図であり、例えば、電子ピアノやエレクトーン等、自動伴奏機能付きの電子鍵盤楽器のフット鍵盤として用いられる。同図においては、２個のフット用ペダルスイッチ４が並列して配置されている例を示しており、このペダルスイッチ４は、スイッチ部分がペダルケース３内部にモールドされた構成となっており、表面には第１のペダル１及び第２のペダル２が露出されている。そして、この第１のペダル１、第２のペダル２を演奏者が足で押圧することによりスイッチングを行ない、所望のコードを演奏するためのものである。
【０００８】
図２は、図１に示したペダルスイッチ４の断面図である。図示のように、このペダルスイッチ４は、ほぼ水平に配置された下ケース５に対して傾斜して基板６が配置され、この基板６上には手前側から順に第１のスイッチ７、第２のスイッチ８、第３のスイッチ９がそれぞれ取り付けられている。また、第１のスイッチ７、第２のスイッチ８の上部を覆うように上ケース１１には第１のペダル１が配置されており、該第１のペダル１の裏面側の前記第１のスイッチ７の上方部位には第１の突起１３が突設されている。
更に、第１のスイッチ７の上側には断面Ｌ字形状の受け座１４が設置され、この受け座１４には第１のペダル１が押圧されて第１の突起１３が下方に移動した時にこれを貫通させる開口部１４ａが穿設されている。受け座１４は、基板６に固定されており、上側面には第１のペダル１を上方向に付勢させる第１のスプリング１５の一端が取り付けられている。そして、この第１のスプリングの他端側は第１のペダル１の裏面側に形成された取り付け溝１６に係止される構成となっている。
【０００９】
また、第２のスイッチ８及び第３のスイッチ９の上側にはゴム等の可撓性の材料に構成されるスイッチカバー１７、１８が配置されており、スイッチカバー１７の上側には、第１のペダル１の裏面側に取り付けられた第２の突起１９が位置している。更に、第１のペダル１の後方側には窪み部１ａが形成されており、この窪み部１ａには第２のペダル２が収納され、第２のスプリング２０により上側に付勢されている。そして、この第２のペダル２の下側の先端は第３の突起２１とされており、第２のペダル２が下側に押圧されるとこの第３の突起２１が第３のスイッチ９に覆設されたスイッチカバー１８と当接されるようになっている。
【００１０】
第１のスイッチ７の周囲部には、ゴム等の可撓性部材にて形成されたバネ板クッション２２が配置され、このバネ板クッション２２の上側の受け座１４との間の部分には、バネ板１２が配設されている。そして、このバネ板１２の、第１のスイッチ７と接触する部位にはバネ板スポンジ２３が取り付けられている。
以下、上記のように構成されたペダルスイッチ４の動作について図３〜図６を参照しながら説明する。まず、図３に示すように操作者が足で第１のペダル１を浅く押圧すると、第１のペダル１の裏面側に配置されている第２の突起１９がスイッチカバー１７を介して第２のスイッチ８を押圧することになり、これにより第２のスイッチ８がオンとなる。次いで、図４に示すように第１のペダル１を更に深く押圧すると、第１の突起１３が受け座１４の開口部１４ａを経て板バネ１２を押圧することになる。これにより、バネ板スポンジ２３が第１のスイッチ７を押圧して、該第１のスイッチ７がオンとされる。
そして、操作者が第１のペダルから足を離すと、まず、板バネ１２の付勢力により第１のスイッチ７の接点が戻されてオフとされる。次いで、第１のスプリング１５の付勢力により第１のペダル１が上方向に戻されるので、第２の突起１９が上方向に移動し、第２のスイッチがオフになる。つまり、第１のペダル１を浅く押圧すると、第２のスイッチ８がオンとなり、深く押圧すると第１のスイッチ７、第２のスイッチ８が共にオンとなり、押圧を解除すると、各スイッチ７，８は共にオフとなる。
【００１１】
また、図５は第２のペダル２を押圧すると共に第１のペダル１を浅く押圧した状態を示す説明図、図６は図５の状態から更に第１のペダル１を深く押圧した状態を示す説明図であり、各図に示すように、操作者が第２のペダル２を押圧すると、第３の突起２１が下方向に移動してスイッチカバー１８を押圧し、これにより第３のスイッチ９がオンとなる。そして、押圧を解除すると第２のスプリング２０の付勢力により第２のペダル２は上方向に移動するので、第３のスイッチ９はオフとされる。
このように構成されたペダルスイッチ４においては、以下に示す４通りのスイッチパターンを設定することができる。
【００１２】
（１）第１のペダル１のみを浅く押圧する。（図３参照）
（２）第１のペダル１のみを深く押圧する。（図４参照）
（３）第２のペダル２を押圧して、第１のペダルを浅く押圧する。（図５参照）
（４）第２のペダル２を押圧して、第１のペダルを深く押圧する。（図６参照）
そして、上記（１）の場合には、第２のスイッチ８のみがオンとなり、（２）場合には第１のスイッチ７、第２のスイッチ８がオンとなり、（３）の場合には第２のスイッチ８、第３のスイッチ９がオンとなり、更に、（４）場合には第１のスイッチ〜第３のスイッチ７，８，９が全てオンとなる。従って、操作者は、片足でペダルの踏み方を調整することにより、４通りのパターンを任意に選択することができるようになる。
【００１３】
次に、上記したペダルスイッチ４を、電子ピアノやエレクトーン等の電子鍵盤楽器に採用した例について説明する。図７（ａ）〜（ｄ）は、上記のペダルスイッチ４を配置した例を示す説明図であり、同図（ａ）はピアノの鍵盤状に１オクターブ配置した例、同図（ｂ）はＭＩＤＩコントローラを主体として配列した例、同図（ｃ）はルート、ドミナント、サブドミナントを主体として配列した例、そして同図（ｄ）はオルガン等に用いられる長いペダルを用いて構成した例である。
【００１４】
図８は、図７（ａ）に示した配列に関する楽器内の電気的な接続を示すブロック図であり、各ペダルスイッチ４にて検出される４通りの信号は、ＣＰＵ３１に供給され、該ＣＰＵ３１に接続されたメモリ３１には、各ペダルスイッチ４の４通りのスイッチパターンに対応するイベント（例えば、メジャ、マイナー、セブンス等のモード）が予めテーブルとして記憶されているので、このイベントテーブルを参照しながら所定のイベントをＭＩＤＩ回路３３に出力する。ＭＩＤＩ回路３３は、電子楽器の信号を共通化するためのインターフェースとして用いられるものであり、入力されたイベント（例えば、「ド」のメジャコード）を他の電子楽器に出力する。
【００１５】
【実施例】
いま、前記したペダルスイッチ４の４通りのスイッチパターンにつき、第１のペダル１のみを軽く押圧する状態を「Ａ浅」、第１のペダル１のみを強く押圧する状態を「Ａ深」、第２のペダル２を押圧して、第１のペダルを軽く押圧する状態を「Ｂ浅」、第２のペダル２を押圧して、第１のペダルを強く押圧する状態を「Ｂ深」の記号で示すことにすると、例えば、図８に示した各ペダルスイッチ４について、表１に示す如くにイベントテーブルを設定することができる。
【００１６】
【表１】
0003554624.tif 000002
【００１７】
即ち、ペダルＣについて「Ａ浅」でＣ、「Ａ深」でＣ７（シーセブン）等のように各ペダルスイッチ４の４通りのスイッチパターンに対応してそれぞれ使用頻度の高いコードを設定しておくことができる。また、図８のメモリ３２に記憶するコードテーブルとして、例えば、表２に示すように設定することができる。
【００１８】
【表２】
0003554624.tif 000003
【００１９】
即ち、コードのモード（メジャ、マイナー等）に対応するルート音に対する付加データという形で記憶させることにより、容易にコードデータを得ることができる。例えば、「ド」の「メジャ」と指定された場合には、「ド」の根音に対して、「＋４」（即ち、「ミ」）と「＋７」（即ち、「ソ」）とを付加してコードを作成すれば、「ド、ミ、ソ」のコードを得ることができる。
また、イベントテーブルに記憶させる表１以外の例として、例えば、表３〜表６に示すような方法もある。
【００２０】
【表３】
0003554624.tif 000004
【００２１】
【表４】
0003554624.tif 000005
【００２２】
【表５】
0003554624.tif 000006
【００２３】
【表６】
0003554624.tif 000007
【００２４】
以下これについて説明すると、表３ではペダルスイッチ４を踏み込む深さを気にしないで、踏み込む位置を第１のペダル、第２のペダルで切り換えることによりモードを切り換える例である。
また、表４は、踏み位置及び踏み込む深さを共に用いてモードを切り換える例を示している。表５は、踏み込み位置でオクターブを指定し、踏み込む深さにてベロシティ（強弱）を調整する例である。表６は、各ペダルスイッチ４に任意のチャネル（Ｃｈ）を割り当てて、ボリュームレベルを設定し、ミキサーのように使用する例である。
【００２５】
また、他の実施例として、ダイアトニックスケールにのっとったコードをイベントテーブルに記憶させることにより、より演奏を容易にすることができる。例えば、Ｃメジャコードスケールの構成音は図９（ａ）の如く示され、各音階に３度、５度の音を付加して得られる和音は、同図（ｂ）に示す如くとなり、Ｃメジャ、Ｄマイナー、Ｅマイナー、…というダイアトニックコードが得られる。そして、これらのコードを図８に示したペダルスイッチ４の「Ａ浅」に設定すれば、図９（ｃ）に示す如くのコード配列を得ることができ、演奏が著しく容易となる。また、表７に示すように、ポピュラー音楽等で頻繁に使用されているコードを前記ダイアトニックコードの第２候補、第３候補、第４候補としてそれぞれ「Ａ深」、「Ｂ浅」、「Ｂ深」に設定しておくこともできる。このような設定を行えば、スタンダードな楽曲を演奏する際に極めて有用となる。
【００２６】
【表７】
0003554624.tif 000008
【００２７】
図１０は、更に他の実施例を示す説明図であり、この実施例では隣合う鍵盤の音程の関係を５度づつとする。これにより、隣合う３つの鍵盤は、ルート、サブドミナント（４度）、及びドミナント（５度）の関係となり、演奏する際、ペダルスイッチを操作する足の動きを小さくすることができる。即ち、同図に示す「Ｃ」、「Ｆ」、「Ｇ」の関係では、「Ｃ」がルート、「Ｆ」がサブドミナント、「Ｇ」がドミナントとなる。また、「Ｄ」、「Ａ」、「Ｅ」の関係では、「Ａ」がルート、「Ｄ」がサブドミナント、「Ｅ」がドミナントとなり、「Ｇ♭」、「Ｄ♭」、「Ａ♭」の関係では、「Ｄ♭」がルート、「Ｇ♭」がサブドミナント、「Ａ♭」がドミナントとなり、「Ｃ」、「Ｇ」、「Ｄ」の関係では、「Ｇ」がルート、「Ｃ」がサブドミナント、「Ｄ」がドミナントとなり、「Ａ」、「Ｅ」、「Ｂ」の関係では、「Ｅ」がルート、「Ａ」がサブドミナント、「Ｂ」がドミナントとなる。
【００２８】
また、図１１に示す如くのコードからなるブルース進行の楽曲を演奏する際には、「Ｃ」、「Ｆ」、「Ｇ」、「Ｄ」の４通りのペダルスイッチを使用すればよく、図１０に示すように、これら４通りのペダルスイッチは連接して配置されているので、操作が著しく容易となる。
更に、前記したダイアトニックスケール仕様に合わせると、図１２に示す如くとなり、メジャのグループとマイナーのグループが左右に分かれて配置されることになり、使用者は演奏する際にルート、コードを気にせずに、同じ足の動きで全てのキーに渡って同じポジションで演奏することができるようになる。
【００２９】
このようにして、本発明によれば、４通りのスイッチングを行うことのできるペダルスイッチを、複数配列して各ペダルスイッチにイベントを対応させているので、操作性が著しく向上する。そして、例えば、各ペダルスイッチに根音を割り当て、各ペダルスイッチの４通りの信号にそれぞれメジャ、マイナー等のモードを割り当てれば、片足による操作で容易に多種多用に渡るコードを演奏することができるようになる。
また、図２に示したペダルスイッチ４においては、第１のペダル１を深く押圧する際には、一旦、第２のスイッチ８がオンとなった後第１のスイッチ７がオンとなるように動作することが理解できる。従って、例えば、第１のペダル１を深く押圧して「Ａ深」を選択したいときであっても、第２のスイッチ８が先にオンとなるので、瞬間的に「Ａ浅」を選択した状態になる。このため、第２のスイッチ８がオンとなってから第１のスイッチ７がオンとなるまでの時間（実際は非常に短い時間である）だけ誤動作することになる。本発明では、このような誤動作を回避するために、第２のスイッチ８がオンとなってから実際に検出信号を出力するまでに遅延時間を持たせる。従って、第２のスイッチ８がオンとなってから、第１のスイッチ７が即時にオンとなれば、「Ａ浅」の出力動作は行われない。なお、上記実施例では、ペダルスイッチとして足で操作するフットペダルを例に説明したが、本発明はこれに限定されるものでななく、手で操作するスイッチとしても同様の効果を得ることができるものである。
【００３０】
【発明の効果】
以上説明したように、本発明のペダルスイッチによれば、第１のペダル、及び第２のペダルの操作により４通りのスイッチングを行うことができる。そして、このペダルスイッチを電子鍵盤楽器に用いれば、多種多用のコードを片足で容易に演奏することができるようになり、操作性が著しく向上するという効果が得られる。
【図面の簡単な説明】
【図１】本発明が適用されたペダルスイッチの一実施形態の構成を示す斜視図。
【図２】ペダルスイッチの断面図。
【図３】第１のペダルのみを浅く押圧した状態を示す説明図。
【図４】第１のペダルのみを深く押圧した状態を示す説明図。
【図５】第２のペダルを押圧し、第１のペダルを浅く押圧した状態を示す説明図。
【図６】第２のペダルを押圧し、第１のペダルを深く押圧した状態を示す説明図。
【図７】ペダルスイッチを電子鍵盤楽器の鍵盤として使用した際の、ペダルスイッチの配列を示す説明図。
【図８】電子鍵盤楽器のデータの流れを示すブロック図。
【図９】ダイアトニックスケールにのっとったコードを示す説明図。
【図１０】５度配列鍵盤とした例を示す説明図。
【図１１】ブルース進行の楽曲のコード例を示す説明図。
【図１２】５度配列の鍵盤に、ダイアトニックスケールを当てはめた例を示す説明図。
【符号の説明】
１  第１のペダル
１ａ  窪み部
２  第２のペダル
３  ペダルケース
４  ペダルスイッチ
５  下ケース
６  基板
７  第１のスイッチ
８  第２のスイッチ
９  第３のスイッチ
１１  上ケース
１２  板バネ
１３  第１の突起
１４  受け座
１４ａ  開口部
１５  第１のスプリング
１６  取り付け溝
１７、１８  スイッチカバー
１９  第２の突起
２０  第２のスプリング
２１  第３の突起
２２  バネ板クッション
２３  バネ板スポンジ
【図１】
0003554624.tif 000009
【図２】
0003554624.tif 000010
【図３】
0003554624.tif 000011
【図４】
0003554624.tif 000012
【図５】
0003554624.tif 000013
【図６】
0003554624.tif 000014
【図７】
0003554624.tif 000015
【図８】
0003554624.tif 000016
【図９】
0003554624.tif 000017
【図１０】
0003554624.tif 000018
【図１１】
0003554624.tif 000019
【図１２】
0003554624.tif 000020